(57)【要約】【課題】宛名の転記ミスを防止し、宛名全体をバランスよく転記することを補助することができる情報処理装置及びコンピュータプログラムを提供する。【解決手段】本発明の情報処理装置は、複数の宛名を表示する表示面を備える。情報処理装置は、表示面の向きの変化を検出する検出部と、検出部が表示面の向きの変化を検出したとき、宛名を宛名書きした状態を表示面に表示する表示制御部とを備える。【選択図】図１
2018101148.tif 000002
【特許請求の範囲】
【請求項１】
複数の宛名を表示する表示面を備える情報処理装置であって、
前記表示面の向きの変化を検出する検出部と、
前記検出部が前記表示面の向きの変化を検出したとき、前記宛名を宛名書きした状態を前記表示面に表示する表示制御部と
を備えることを特徴とする、情報処理装置。
【請求項２】
前記検出部は、前記表示面の縦横の入れ替えを検出することを特徴とする、請求項１に記載の情報処理装置。
【請求項３】
前記検出部が前記表示面の横向きへの変化を検出したとき、前記表示制御部は、前記複数の宛名を前記表示面に表示し、
前記検出部が前記表示面の縦向きへの変化を検出したとき、前記表示制御部は、前記宛名書きした状態を前記表示面に表示することを特徴とする、請求項１または請求項２に記載の情報処理装置。
【請求項４】
前記検出部が前記表示面の縦向きへの変化を検出したとき、前記表示制御部は、前記複数の宛名を前記表示面に表示し、
前記検出部が前記表示面の横向きへの変化を検出したとき、前記表示制御部は、前記宛名書きした状態を前記表示面に表示することを特徴とする、請求項１または請求項２に記載の情報処理装置。
【請求項５】
前記表示面に表示された前記複数の宛名の中から一の宛名を選択する操作を受け付ける受付部を備えることを特徴とする、請求項１〜請求項４のうちの一項に記載の情報処理装置。
【請求項６】
前記表示面は、
所定の操作の入力を受け付けるようにしてあり、
前記表示制御部が前記一の宛名を宛名書きした状態の画像を前記表示面に表示した場合に、第１の操作を受け付けたときは、前記一の宛名に所定の識別子を設定する設定部を備えることを特徴とする、請求項５に記載の情報処理装置。
【請求項７】
複数の宛名を表示する表示面に画像を表示させるためのコンピュータプログラムであって、
前記表示面の向きの変化を検出する検出手段と、
前記検出手段が前記表示面の向きの変化を検出したとき、前記宛名を宛名書きした状態を前記表示面に表示する表示制御手段と
をコンピュータに機能させることを特徴とする、コンピュータプログラム。
【発明の詳細な説明】
【技術分野】
【０００１】
本発明は、複数の宛名を一覧形式で表示する矩形状の表示面を備える携帯情報処理装置及び該携帯情報処理装置を実現するためのコンピュータプログラムに関する。
【背景技術】
【０００２】
従来、携帯可能な携帯情報処理装置の姿勢に応じて表示画面の表示を変更する技術は開示されている。例えば、印字装置が基準姿勢の場合には横書き印字の書式を設定し、印字装置が基準姿勢から略９０°回転した場合には、縦書き印字の書式に設定する印字装置が開示されている（特許文献１参照）。
【０００３】
一方で、顧客情報に基づいて自店への来店誘導を目的としたダイレクトメールを顧客へ郵送することが多くの企業で行われている。顧客の宛名（住所、氏名など）については、作業効率の観点から機械印字するのが一般的である。しかし、手書きの宛名の方が機械印字した宛名よりも人情味があり、機械印字されたダイレクトメールよりも手書きのダイレクトメールの方が顧客に読んでもらえる確率（いわゆる既読率）が高くなる傾向がある。
【０００４】
手書きのダイレクトメールを作成する場合、宛名の一覧をパーソナルコンピュータまたは携帯情報端末装置などに表示させたものを見ながら、あるいは宛名の一覧を印刷した帳票を見ながらはがきまたは封筒に宛名を手書きで転記するのが一般的な方法である。
【先行技術文献】
【特許文献】
【０００５】
【特許文献１】特開２０１１−７３２２４号公報
【発明の概要】
【発明が解決しようとする課題】
【０００６】
しかし、宛名の一覧を見ながら、１つ１つ宛名をはがきまたは封筒に転記する場合、一覧とはがきまたは封筒との間で頻繁に視線を移動させる必要があり、宛名を誤って転記する可能性が高くなるという問題があった。また、機械印字と異なり、一覧を見ながら宛名を転記するので、手書きによる文字幅のバラツキが生じ、あるいは住所の途中で改行する位置が不自然となり、宛名全体のバランスが崩れ見た目が悪くなるという問題もあった。
【０００７】
本発明は斯かる事情に鑑みてなされたものであり、宛名の転記ミスを防止し、宛名全体をバランスよく転記することを補助することができる携帯情報処理装置及び該携帯情報処理装置を実現するためのコンピュータプログラムを提供することを目的とする。
【課題を解決するための手段】
【０００８】
本発明に係る携帯情報処理装置は、複数の宛名を一覧形式で表示する矩形状の表示面を備える携帯情報処理装置であって、前記表示面の縦横を入れ替える回転を検出する検出部と、前記表示面に表示された前記複数の宛名の中から一の宛名を選択する操作を受け付ける受付部と、一の宛名を選択する操作を受け付けた場合に、前記表示面の回転を検出したときは、選択された一の宛名をはがきまたは封筒に表書きした状態の画像を前記表示面に表示する表示制御部とを備えることを特徴とする。
【０００９】
本発明に係る携帯情報処理装置は、前記表示面は、所定の操作の入力を受け付けるようにしてあり、前記表示制御部が前記一の宛名を表書きした状態の画像を前記表示面に表示した場合に、第１の操作を受け付けたときは、前記一の宛名に所定の識別子を設定する設定部を備えることを特徴とする。
【００１０】
本発明に係る携帯情報処理装置は、前記表示制御部が前記一の宛名を表書きした状態の画像を前記表示面に表示した場合に、第２の操作を受け付けたときは、前記複数の宛名から前記一の宛名の前または後の宛名を選択する選択部を備え、前記表示制御部は、前記選択部で選択した宛名を表書きした状態の画像を前記表示面に表示するようにしてあることを特徴とする。
【００１１】
本発明に係る携帯情報処理装置は、第３の操作を受け付けた場合、前記設定部で所定の識別子を設定した宛名を一覧形式で前記表示面に表示するようにしてあることを特徴とする。
【００１２】
本発明に係る携帯情報処理装置は、前記表示制御部がはがきまたは封筒のいずれに表書きした状態の画像を表示するかを選択する操作を受け付ける表書き受付部を備えることを特徴とする。
【００１３】
本発明に係る携帯情報処理装置は、前記表示面に表示された表書きした状態の画像のサイズをはがきまたは封筒のサイズに表示変換する操作を受け付ける表示変換受付部を備えることを特徴とする。
【００１４】
本発明に係るコンピュータプログラムは、矩形状の表示面に画像を表示させるためのコンピュータプログラムであって、コンピュータを、前記表示面の縦横を入れ替える回転を検出する検出手段と、前記表示面に表示された複数の宛名の中から一の宛名を選択する操作を受け付けた場合に、前記表示面の回転を検出したときは、選択された一の宛名をはがきまたは封筒に表書きした状態の画像を前記表示面に表示する表示制御手段として機能させることを特徴とする。
【発明の効果】
【００１５】
本発明によれば、宛名の転記ミスを防止し、宛名全体をバランスよく転記することを補助することができる。
【図面の簡単な説明】
【００１６】
【図１】本実施の形態の携帯情報処理装置の構成の一例を示すブロック図である。
【図２】本実施の形態の携帯情報処理装置の表示画面を横向きにした状態を示す模式図である。
【図３】本実施の形態の携帯情報処理装置の表示画面ではがきまたは封筒を選択する一例を示す模式図である。
【図４】本実施の形態の携帯情報処理装置の表示画面の縦横を入れ替えて略９０°回転させた状態を示す模式図である。
【図５】本実施の形態の携帯情報処理装置が行う処理例を示す説明図である。
【図６】本実施の形態の携帯情報処理装置による処理の第１実施例を示す模式図である。
【図７】本実施の形態の携帯情報処理装置による処理の第２実施例を示す模式図である。
【図８】本実施の形態の携帯情報処理装置による処理の第３実施例を示す模式図である。
【図９】本実施の形態の携帯情報処理装置による処理の第４実施例を示す模式図である。
【図１０】本実施の形態の携帯情報処理装置による処理の第５実施例を示す模式図である。
【図１１】本実施の形態の携帯情報処理装置の表示画面に表書き画像を表示した一例を示す模式図である。
【図１２】実際のはがきのサイズで表書き画像を表示した一例を示す模式図である。
【図１３】本実施の形態の携帯情報処理装置による処理手順の一例を示すフローチャートである。
【発明を実施するための形態】
【００１７】
以下、本発明を実施の形態を示す図面に基づいて説明する。図１は本実施の形態の携帯情報処理装置１００の構成の一例を示すブロック図である。携帯情報処理装置１００は、ＣＰＵ及びメモリなどで構成され装置全体を制御する制御部１０、通信部１１、表示制御部１２、回転検出部１３、表示画面１４、タッチ操作検出部１５、記憶部１６などを備える。携帯情報処理装置１００は、例えば、タブレット端末であるが、ノート型パーソナルコンピュータ、スマートフォンなどであってもよい。
【００１８】
通信部１１は、例えば、無線ＬＡＮなどのワイヤレス通信機能を有し、外部のサーバ（不図示）に記録された顧客情報データベースから顧客情報を取得する。顧客情報は、住所、氏名または名称などの宛名の他、電話番号、電子メールアドレス、性別、年齢などの個人情報も含む。
【００１９】
通信部１１で取得された顧客情報は、記憶部１６に記憶される。
【００２０】
表示画面１４は、矩形状をなし、例えば、液晶ディスプレイ、ＥＬ（Ｅｌｅｃｔｒｏ Ｌｕｍｉｎｅｓｃｅｎｃｅ）ディスプレイ等である。なお、表示画面１４は、縦横が識別することができればよく、略楕円形のような形状であってもよい。
【００２１】
タッチ操作検出部１５は、例えば、静電容量方式タッチパネル、抵抗膜方式タッチパネル等で構成される。タッチ操作検出部１５は、表示画面１４に対して、ユーザがペンまたは指等でタッチ操作を行った場合、タッチ操作が行われた表示画面１４上の位置を示す位置情報を取得する。
【００２２】
タッチ操作検出部１５は、受付部としての機能を有し、表示画面１４に表示された複数の宛名の中から一の宛名を選択する操作を受け付ける。
【００２３】
また、タッチ操作検出部１５は、スワイプ操作、フリック操作などを検出することができる。また、タッチ操作検出部１５は、離隔した２つ以上の箇所が押圧された場合、それぞれの箇所の位置情報も取得することができ、いわゆるマルチタッチ操作を検出することができる。また、タッチ操作検出部１５は、取得した位置情報を制御部１０へ出力する。
【００２４】
記憶部１６は、ＤＤＲ、ＳＤＲＡＭ（Ｄｏｕｂｌｅ Ｄａｔａ Ｒａｔｅ Ｓｙｎｃｈｒｏｎｏｕｓ Ｄｙｎａｍｉｃ Ｒａｎｄｏｍ Ａｃｃｅｓｓ Ｍｅｍｏｒｙ）などの揮発性メモリ、フラッシュＲＯＭ（Ｒｅａｄ Ｏｎｌｙ Ｍｅｍｏｒｙ）、ＥＥＰＲＯＭ（登録商標）、ＨＤＤ（Ｈａｒｄ Ｄｉｓｋ Ｄｒｉｖｅ）などの不揮発性メモリなどで構成される。記憶部１６は、顧客情報、表示画面１４に表示される画像などを記憶する。
【００２５】
表示制御部１２は、複数の宛名を一覧形式で表示画面１４に表示する機能、宛名をはがきまたは封筒に表書きした状態の画像（宛名書き画像とも称する）を表示画面１４に表示する機能を有する。表示画面１４に複数の宛名を一覧形式で表示する場合、同時にすべての宛名を表示画面１４に表示することができない場合には、複数の宛名の一部を表示させ、残りの宛名の一覧は、画面をスクロール操作等によりスクロールさせて表示することができる。
【００２６】
また、表書きした状態の画像（宛名書き画像）とは、宛名をはがきまたは封筒の表側に手書きした場合の文字の形、位置などを表した画像である。すなわち、表書きした状態の画像は、宛名をはがきまたは封筒にバランスよく転記する際に参考となる画像である。
【００２７】
回転検出部１３は、３次元加速度センサ、地磁気センサ、傾きセンサなどのセンサで構成され、検出部としての機能を有する。回転検出部１３は、表示画面１４（携帯情報処理装置１００）の縦横を入れ替える回転を検出し、検出結果を制御部１０へ出力する。縦横を入れ替える回転とは、表示画面１４に対して略垂直な仮想軸の回りの回転を意味する。例えば、回転検出部１３は、縦向きの表示画面１４が略９０°回転して横向きなったこと、あるいは横向きの表示画面１４が略９０°回転して縦向きになったことを検出することができる。
【００２８】
また、タッチ操作検出部１５は、表書き受付部としての機能を有し、表示制御部１２が、はがきまたは封筒のいずれに表書きした状態の画像を表示するかを選択する操作を受け付ける。
【００２９】
また、タッチ操作検出部１５は、表示変換受付部としての機能を有し、表示画面１４に表示された表書きした状態の画像のサイズをはがきまたは封筒のサイズに表示変換する操作を受け付ける。
【００３０】
次に、本実施の形態の携帯情報処理装置１００の動作について説明する。図２は本実施の形態の携帯情報処理装置１００の表示画面１４を横向きにした状態を示す模式図である。図２では、表示画面１４に複数の宛名を一覧形式で表示させた状態を模式的に示している。なお、図２の例では、簡便のため、宛名のうち住所は「市」だけを表示し、「区」、「町」、番地等は除いている。
【００３１】
図２の例では、大阪市の鈴木××、大阪市の山田○○、京都市の田中△△、八尾市の青木○△、神戸市の太田×△、奈良市の山口△○の６つの宛名が一覧形式で表示されている。なお、一覧形式の例は、図２の例に限定されるものではなく、少なくとも住所、氏名または名称がリスト状に示されていればよい。また、表示画面１４に表示されていない宛名は、画面をスクロールすることにより、表示させることができる。
【００３２】
ここで、ユーザが、例えば、はがきまたは封筒に「大阪市の山田○○」の宛名を手書きで転記する場合について説明する。
【００３３】
図３は本実施の形態の携帯情報処理装置１００の表示画面１４ではがきまたは封筒を選択する一例を示す模式図である。図３は図２に例示した画面において、はがきを選択するための「はがき」のアイコン、封筒を選択するための「封筒」のアイコンを表示させたものである。なお、アイコンに限定されるものではなく、ボタン等の他のタッチ操作を受け付けることができる文字または図表であればよい。
【００３４】
ユーザは、図３において、「はがき」または「封筒」のアイコンのいずれかを選択するとともに、図３に例示した複数の宛名の中から「大阪市の山田○○」の宛名が表示された箇所をタッチして、当該宛名「大阪市の山田○○」を選択する。そして、表示画面１４の略９０°回転させて縦横を入れ替える。
【００３５】
図４は本実施の形態の携帯情報処理装置１００の表示画面１４の縦横を入れ替えて略９０°回転させた状態を示す模式図である。図４では、表示画面１４内にはがきの輪郭を現す矩形状の枠が表示され、当該枠内に宛名が表示されている。なお、以下の説明では、はがきに宛名を表示する場合について説明するが、封筒の場合も同様である。図４に示すように、図３において、選択された「大阪市の山田○○」という宛名を、はがきに表書きした状態の画像が表示画面１４に表示される。表書きした状態の画像（宛名書き画像とも称する）とは、宛名をはがきまたは封筒の表側に手書きした場合の文字の形、位置などを表した画像である。すなわち、表書きした状態の画像は、宛名をはがきまたは封筒にバランスよく転記する際に参考となる画像である。
【００３６】
なお、図４の例では、簡便のため、宛名はゴシック体のように記載されているが、宛名の字体は、ゴシック体に限定されるものではなく、明朝体、毛筆状のフォントを用いた字体など、ユーザの好みに応じて適宜変更することができる。
【００３７】
すなわち、タッチ操作検出部１５は、表示制御部１２がはがきまたは封筒のいずれに表書きした状態の画像を表示するかを選択する操作を受け付ける。例えば、ユーザが、表示画面１４に表示された「はがき」のアイコンをタッチ操作することにより、はがきに表書きした状態の画像を表示させることができる。また、ユーザが、表示画面１４に表示された「封筒」のアイコンをタッチ操作することにより、封筒に表書きした状態の画像を表示させることができる。これにより、ユーザは、必要に応じて、はがきまたは封筒に表書きした状態の画像を選択的に表示させることができ、ユーザの利便性を向上させることができる。
【００３８】
表示制御部１２は、表示画面１４に表中の複数の宛名の中から一の宛名が選択され、かつ表示画面の縦横の回転（例えば、縦向きから横向きへの回転）を検出したときは、選択された一の宛名をはがきまたは封筒に表書きした状態の画像を表示画面１４に表示する。
【００３９】
上述のように、ユーザは、はがきまたは封筒に転記する宛名を一覧から選択し、携帯情報処理装置１００の表示画面１４を略９０°回転させるだけで、はがきまたは封筒に宛名を手書きした状態の画像を表示させることができる。ユーザは表示画面１４に表示されたとおりに宛名を転記するだけで、バランスのよい宛名を書くことができる。また、表示画面１４に表示されたとおりに宛名を転記すればよいので、転記ミスも防止することができる。
【００４０】
図４に例示した状態において、ユーザが表示画面１４に対して簡単なタッチ操作を行うことにより、本実施の形態の携帯情報処理装置１００は、所定の処理を行う。以下、本実施の形態の携帯情報処理装置１００が行う処理について説明する。
【００４１】
図５は本実施の形態の携帯情報処理装置１００が行う処理例を示す説明図である。図５は、ユーザが表示画面１４に対して行うタッチ操作の例と、ユーザが行ったタッチ操作に応じて携帯情報処理装置１００が行う処理の内容を示すものである。図５に示すように、タッチ操作には、図４に示す表示画面１４に対して、上方向にスワイプする操作、上方向に長くスワイプする操作、下方向にスワイプする操作、下方向に長くスワイプする操作、右方向にスワイプする操作、左方向にスワイプする操作などがある。なお、所定の操作は、タッチ操作に限定されるものではない。
【００４２】
図６は本実施の形態の携帯情報処理装置１００による処理の第１実施例を示す模式図である。図５で示したように、ユーザが表示画面１４に対して、上方向にスワイプする操作を行った場合、携帯情報処理装置１００は、宛名書き画像（図４に示す画像）に対応する宛名を転記完了（所定の識別子）とし、次の宛名（一覧表示された宛名のうち、転記完了とした宛名の次にリストされている宛名）の宛名書き画像を表示する。図６の例では、「大阪市の山田○○」という宛名の次の宛名である「京都市の田中△△」の宛名書き画像が表示され、宛名「大阪市の山田○○」は転記完了となっている。
【００４３】
また、図５で示したように、ユーザが表示画面１４に対して、下方向にスワイプする操作を行った場合、携帯情報処理装置１００は、宛名書き画像（図４に示す画像）に対応する宛名を保留とし、次の宛名（一覧表示された宛名のうち、保留とした宛名の次にリストされている宛名）の宛名書き画像を表示する。図６の例では、「大阪市の山田○○」という宛名の次の宛名である「京都市の田中△△」の宛名書き画像が表示され、宛名「大阪市の山田○○」は保留となっている。なお、保留は、一旦宛名書き画像を表示（生成）したものの、転記完了となっていない宛名を示す。
【００４４】
また、図５で示したように、ユーザが表示画面１４に対して、右方向にスワイプする操作を行った場合、携帯情報処理装置１００は、次の宛名（一覧表示された宛名のうち、スワイプ操作をする際に表示していた宛名の次の宛名）の宛名書き画像を表示する。図６の例では、「大阪市の山田○○」という宛名の次の宛名である「京都市の田中△△」の宛名書き画像が表示される。
【００４５】
また、図５で示したように、ユーザが表示画面１４に対して、左方向にスワイプする操作を行った場合、携帯情報処理装置１００は、１つ前の宛名（一覧表示された宛名のうち、スワイプ操作をする際に表示していた宛名の１つ前の宛名）の宛名書き画像を表示する。図６の例では、「大阪市の山田○○」という宛名の１つ前の宛名である「大阪市の鈴木××」の宛名書き画像が表示される。
【００４６】
上述のとおり、表示画面１４は、タッチ操作の入力を受け付けるようにしてある。タッチ操作とは、指またはペン等を表示画面１４に接触させる操作、及び指またはペン等を表示画面１４に接触させた状態で表示画面１４上を移動させる操作などを含む。
【００４７】
制御部１０は、設定部としての機能を有し、一の宛名を表書きした状態の画像（例えば、図３に例示した宛名書き画像）を表示画面１４に表示した場合に、上方向のスワイプ（第１の操作）を受け付けたときは、当該一の宛名に転記完了（所定の識別子）を設定する。第１のタッチ操作は、表示画面１４上で上方向にスワイプさせる操作とすることができるが、これに限定されるものではない。また、所定の識別子は、例えば、宛名をはがきまたは封筒に手書きにより転記したことを示す「転記完了」とすることができる。
【００４８】
宛名を表書きした状態の画像（例えば、図４に例示した宛名書き画像）を見ながら、ユーザがはがきまたは封筒に宛名を書いた後、ユーザが表示画面１４上で上方向にスワイプ操作をするだけで、当該宛名の宛名書き（転記）が終了していることを記録することができる。これにより、多くの宛名の一覧の中で、宛名書きが終わった宛名を容易に識別することができ、ユーザの利便性を向上させることができる。
【００４９】
また、制御部１０は、選択部としての機能を有し、一の宛名を表書きした状態の画像（例えば、図４に例示した宛名書き画像）を表示画面１４に表示した場合に、第２の操作を受け付けたときは、複数の宛名から当該一の宛名の前または後の宛名を選択する。第２の操作は、例えば、表示画面１４上で左右方向にスワイプさせる操作とすることができる。例えば、制御部１０は、表示画面１４上で左方向にスワイプさせる操作がなされた場合、当該一の宛名の前の宛名を選択し、右方向にスワイプさせる操作がなされた場合、当該一の宛名の後（次）の宛名を選択することができる。なお、第２の操作は、表示画面１４上で左右方向にスワイプさせる操作に限定されるものではない。
【００５０】
表示制御部１２は、制御部１０で選択した宛名を表書きした状態の画像を表示画面に表示する。これにより、ユーザは、表示画面上で第２の操作（例えば、右方向のスワイプまたは左方向のスワイプ）を行うだけで、複数の宛名の中から次に表示させたい表書きした状態の画像を簡単に表示させることができ、ユーザの利便性を向上させることができる。
【００５１】
図７は本実施の形態の携帯情報処理装置１００による処理の第２実施例を示す模式図である。図５で示したように、ユーザが表示画面１４に対して、上方向に長くスワイプする操作を行った場合、携帯情報処理装置１００は、転記完了となっている宛名の一覧を表示する。図７の例では、「大阪市の鈴木××」、「大阪市の山田○○」、「奈良市の山口△○」という宛名が転記完了となっている。
【００５２】
上述のように、上方向に長くスワイプする操作（第３の操作）を受け付けた場合、表示制御部１２は、所定の識別子（例えば、転記完了）を設定した宛名を一覧形式で表示画面１４に表示する。第３の操作は、例えば、表示画面１４上で上方向に長くスワイプさせる操作とすることができるが、これに限定されるものではない。これにより、ユーザは、表示画面１４上で第３の操作を行うだけで、宛名書きが終わった宛名を一覧形式で表示することができ、ユーザの利便性を向上させることができる。
【００５３】
図８は本実施の形態の携帯情報処理装置１００による処理の第３実施例を示す模式図である。図５で示したように、ユーザが表示画面１４に対して、下方向に長くスワイプする操作を行った場合、携帯情報処理装置１００は、保留となっている宛名の一覧を表示する。図８の例では、「京都市の田中△△」、「八尾市の青木○△」、「神戸市の太田×△」という宛名が保留となっている。
【００５４】
上述のように、下方向に長くスワイプする操作（第４の操作）を受け付けた場合、表示制御部１２は、保留と設定した宛名を一覧形式で表示画面１４に表示する。第４の操作は、例えば、表示画面１４上で下方向に長くスワイプさせる操作とすることができるが、これに限定されるものではない。これにより、ユーザは、表示画面１４上で下方向に長くスワイプする操作を行うだけで、未だ転記完了していない宛名を一覧形式で表示することができ、ユーザの利便性を向上させることができる。
【００５５】
図９は本実施の形態の携帯情報処理装置１００による処理の第４実施例を示す模式図である。図９に示すように、宛名を表書きした状態の画像（例えば、図４に例示した宛名書き画像）を表示画面１４に表示した場合に、表示画面１４の縦横を入れ替える回転を検出したときは、複数の宛名を一覧形式で表示する。すなわち、本実施の形態の携帯情報処理装置１００は、表示制御部１２が宛名を表書きした状態の画像を表示面に表示した場合に、表示面の縦横の回転を検出したときは、複数の宛名を一覧形式で表示するようにしてある。
【００５６】
例えば、表示画面１４を縦向きから横向きへ略９０°回転させるだけで、複数の宛名を一覧形式で表示することができるので、ユーザは、複数の宛名の中から所望の宛名を容易に探し出すことができ、ユーザの利便性を向上させることができる。また、図９に示すように、複数の宛名のうち、すでに転記完了しているものは、「転記完了」または同等の表記がされるので、ユーザは容易に転記完了したものと転記完了していないものとを区別して認識することができる。なお、図９において、転記完了していない宛名に対しては、保留または同等の表記をすることもできる。
【００５７】
上述の例では、表示画面１４を横向きにした状態で宛名の一覧表示を行い、表示画面１４を略９０°回転させて縦向きにした状態で、選択した宛名の宛名書き画像を表示する構成であったが、これに限定されるものではない。例えば、表示画面１４を縦向きにした状態で宛名の一覧表示を行い、表示画面１４を略９０°回転させて横向きにした状態で、選択した宛名の宛名書き画像を表示するようにしてもよい。
【００５８】
図１０は本実施の形態の携帯情報処理装置１００による処理の第５実施例を示す模式図である。図１０に示すように、所望の宛名書き画像（図１０の例では、「大阪市の山田○○」）を表示画面１４に表示させた場合、住所の記載が長いため、住所の文字のフォントが小さくなり、氏名の文字のフォントの大きさとのバランスが悪くなり、あるいは、はがきまたは封筒の表面における住所の位置、配置が全体としてアンバランスとなる場合がある。
【００５９】
そこで、携帯情報処理装置１００を手で持って振る操作を行うことにより、宛名書き画像での表示態様を切り替える。図１０の例では、住所の記載が１行から２行に変更となり、住所の文字のフォントも大きくしている。これにより、携帯情報処理装置１００を手で持って振る操作を行うだけで、宛名書き画像の表示態様を切り替えることができ、全体としてバランスのよい、あるいはユーザにとって最も好ましい表示態様の宛名書き画像を選ぶことができる。
【００６０】
上述の実施の形態において、図３に例示したように、宛名書き画像をはがき上に表示するか、封筒の上に表示するかは、ユーザが表示画面１４に表示される選択用アイコンを選択することにより行うことができる。
【００６１】
表示画面１４の大きさ（サイズ）は、タブレット端末のような携帯情報処理装置の製品ラインナップに応じて異なり、はがきまたは封筒の実際のサイズと対比すると、はがきまたは封筒の実際のサイズが表示画面１４のサイズよりも小さい場合、あるいははがきまたは封筒の実際のサイズが表示画面１４のサイズよりも大きい場合がある。例えば、はがきまたは封筒の実際のサイズが表示画面１４のサイズよりも小さい場合に、表示画面１４全体にはがきまたは封筒の輪郭を現す矩形状の枠を表示させた場合、表示画面１４に表示したはがきまたは封筒のサイズが実際のサイズよりも大きくなる。
【００６２】
図１１は本実施の形態の携帯情報処理装置１００の表示画面１４に表書き画像を表示した一例を示す模式図である。図１１において、矩形状の枠は、はがきの輪郭を示し、はがきの実際のサイズが表示画面１４のサイズよりも小さい場合を示す。このとき、表示画面１４全体にはがきの輪郭を現す矩形状の枠を表示させた場合、表示画面１４に表示したはがきのサイズは実際のサイズよりも大きくなる。
【００６３】
このような場合には、図１１に示すように、表示画面１４の適宜の位置に「実際の表示サイズ」のアイコンを表示させる。なお、予め、はがきまたは封筒の実際のサイズ、表示画面１４のサイズを記憶部１６に記憶しておくことにより、表示画面１４全体にはがきの輪郭を現す矩形状の枠を表示させた場合、表示画面１４に表示したはがきのサイズが実際のサイズよりも大きくなるか否かを判定することができる。
【００６４】
図１２は実際のはがきのサイズで表書き画像を表示した一例を示す模式図である。ユーザが、図１１に例示の「実際の表示サイズ」のアイコンをタッチ操作することにより、表示画面１４には、図１２に示すように、実際のサイズのはがきを表す枠に変換されるとともに、宛名も当該枠内に収まるように変換される。
【００６５】
すなわち、タッチ操作検出部１５は、表示画面１４に表示された表書きした状態の画像のサイズをはがきまたは封筒のサイズに表示変換する。例えば、表示画面１４に、はがきに表書きした状態の画像を表示している場合に、当該画像のサイズ（大きさ）が実際のはがきのサイズと異なる場合、ユーザが、「実際の表示サイズ」のアイコンをタッチ操作することにより、表示画面１４には実際のはがきのサイズで表書きした画像が表示される。封筒の場合も同様である。
【００６６】
これにより、ユーザは、はがきまたは封筒に宛名を書く際の文字の大きさを確認することができ、文字の大きさをどの程度にすればよいかを容易に把握することができ、ユーザの利便性を向上させることができる。
【００６７】
また、表示画面１４の縦横の寸法が、実際のはがきまたは封筒のサイズより小さい場合には、表示画面１４にはがきまたは封筒の輪郭を現す枠が入るように実際のサイズよりも縮小して描画すればよい。
【００６８】
図１３は本実施の形態の携帯情報処理装置１００による処理手順の一例を示すフローチャートである。以下では、簡便のため処理の主体を制御部１０として説明する。制御部１０は、顧客情報を外部のサーバなどから取得し（Ｓ１１）、顧客情報の中から宛名（住所、氏名または名称など）を抽出し、宛名を一覧形式で表示画面１４に表示する（Ｓ１２）。
【００６９】
制御部１０は、任意の宛名が選択されたか否かを判定し（Ｓ１３）、宛名が選択されていない場合（Ｓ１３でＮＯ）、ステップＳ１３の処理を続ける。宛名が選択された場合（Ｓ１３でＹＥＳ）、制御部１０は、表示画面１４の縦横の回転を検出したか否かを判定する（Ｓ１４）。
【００７０】
表示画面１４の縦横の回転を検出していない場合（Ｓ１４でＮＯ）、制御部１０は、ステップＳ１４の処理を続ける。表示画面１４の縦横の回転を検出した場合（Ｓ１４でＹＥＳ）、制御部１０は、選択された宛名を表書きした状態の画像（宛名書き画像）を表示画面１４に表示する（Ｓ１５）。
【００７１】
制御部１０は、タッチ操作の有無を判定し（Ｓ１６）、タッチ操作がない場合（Ｓ１６でＮＯ）、ステップＳ１６の処理を続ける。タッチ操作があった場合（Ｓ１６でＹＥＳ）、制御部１０は、タッチ操作に応じて処理を実行する（Ｓ１７）。タッチ操作に応じた処理は、例えば、図５に例示した処理である。なお、操作はタッチ操作に限定されるものではない。
【００７２】
制御部１０は、処理を終了するか否かを判定し（Ｓ１８）、処理を終了しない場合（Ｓ１８でＮＯ）、表示画面１４の縦横の回転を検出したか否かを判定する（Ｓ１９）。表示画面１４の縦横の回転を検出していない場合（Ｓ１９でＮＯ）、制御部１０は、ステップＳ１６以降の処理を続ける。
【００７３】
表示画面１４の縦横の回転を検出した場合（Ｓ１９でＹＥＳ）、制御部１０は、宛名を一覧表示で表示し（Ｓ２０）、ステップＳ１３以降の処理を続ける。処理を終了すると判定した場合（Ｓ１８でＹＥＳ）、制御部１０は、処理を終了する。
【００７４】
本実施の形態の携帯情報処理装置１００が行う処理は、ＣＰＵ、ＲＡＭなどを備えたコンピュータを用いて実現することもできる。すなわち、図１３に示すような各処理手順を定めたコンピュータプログラムを記録した記録媒体を、コンピュータに備えられた記録媒体読取装置で読み取ることにより、当該コンピュータプログラムをＲＡＭにロードし、コンピュータプログラムをＣＰＵで実行することにより、コンピュータ上で携帯情報処理装置１００を実現することができる。
【００７５】
本発明の上述の各実施の形態で記載されている技術特徴は、お互いに組み合わせて新しい技術方案を形成することができる。
【００７６】
本実施の形態の携帯情報処理装置は、複数の宛名を一覧形式で表示する矩形状の表示面（１４）を備える携帯情報処理装置（１００）であって、前記表示面の縦横を入れ替える回転を検出する検出部（１３）と、前記表示面に表示された前記複数の宛名の中から一の宛名を選択する操作を受け付ける受付部（１５）と、一の宛名を選択する操作を受け付けた場合に、前記表示面の回転を検出したときは、選択された一の宛名をはがきまたは封筒に表書きした状態の画像を前記表示面に表示する表示制御部（１２）とを備えることを特徴とする。
【００７７】
本実施の形態のコンピュータプログラムは、矩形状の表示面に画像を表示させるためのコンピュータプログラムであって、コンピュータを、前記表示面の縦横を入れ替える回転を検出する検出手段と、前記表示面に表示された複数の宛名の中から一の宛名を選択する操作を受け付けた場合に、前記表示面の回転を検出したときは、選択された一の宛名をはがきまたは封筒に表書きした状態の画像を前記表示面に表示する表示制御手段として機能させることを特徴とする。
【００７８】
本実施の形態にあっては、検出部は、表示面の縦横を入れ替える回転を検出する。例えば、検出部は、縦向きの表示面が略９０°回転して横向きなったこと、あるいは横向きの表示面が略９０°回転して縦向きになったことを検出する。受付部は、表示面に表示された複数の宛名の中から一の宛名を選択する操作を受け付ける。宛名は、例えば、顧客の住所、氏名または名称などを含む。
【００７９】
表示制御部は、表示面に表中の複数の宛名の中から一の宛名が選択され、かつ表示面の縦横の回転（例えば、縦向きから横向きへの回転）を検出したときは、選択された一の宛名をはがきまたは封筒に表書きした状態の画像を表示面に表示する。表書きした状態の画像とは、宛名をはがきまたは封筒の表側に手書きした場合の文字の形、位置などを表した画像である。すなわち、表書きした状態の画像は、宛名をはがきまたは封筒にバランスよく転記する際に参考となる画像である。
【００８０】
これにより、ユーザは、はがきまたは封筒に転記する宛名を一覧から選択し、携帯情報処理装置の表示面を略９０°回転させるだけで、はがきまたは封筒に宛名を手書きした状態の画像を表示させることができる。ユーザは表示面に表示されたとおりに宛名を転記するだけで、バランスのよい宛名を書くことができる。また、表示面に表示されたとおりに宛名を転記すればよいので、転記ミスも防止することができる。
【００８１】
本実施の形態の携帯情報処理装置は、前記表示面（１４）は、所定の操作の入力を受け付けるようにしてあり、前記表示制御部（１２）が前記一の宛名を表書きした状態の画像を前記表示面に表示した場合に、第１のタッチ操作を受け付けたときは、前記一の宛名に所定の識別子を設定する設定部（１０）を備えることを特徴とする。
【００８２】
本実施の形態にあっては、表示面は、所定の操作の入力を受け付けるようにしてある。所定の操作とは、例えば、タッチ操作であり、指またはペン等を表示面に接触させる操作、及び指またはペン等を表示面に接触させた状態で表示面上を移動させる操作などを含む。設定部は、一の宛名を表書きした状態の画像を表示面に表示した場合に、第１の操作を受け付けたときは、該一の宛名に所定の識別子を設定する。第１の操作は、例えば、表示面上で上方向にスワイプさせる操作とすることができるが、これに限定されるものではない。所定の識別子は、例えば、宛名をはがきまたは封筒に手書きにより転記したことを示す「転記完了」とすることができる。
【００８３】
宛名を表書きした状態の画像を見ながら、ユーザがはがきまたは封筒に宛名を書いた後、ユーザが表示面上で上方向にスワイプ操作をするだけで、当該宛名の宛名書き（転記）が終了していることを記録することができる。これにより、多くの宛名の一覧の中で、宛名書きが終わった宛名を容易に識別することができ、ユーザの利便性を向上させることができる。
【００８４】
本実施の形態の携帯情報処理装置は、前記表示制御部（１２）が前記一の宛名を表書きした状態の画像を前記表示面（１４）に表示した場合に、第２の操作を受け付けたときは、前記複数の宛名から前記一の宛名の前または後の宛名を選択する選択部（１０）を備え、前記表示制御部は、前記選択部で選択した宛名を表書きした状態の画像を前記表示面に表示するようにしてあることを特徴とする。
【００８５】
本実施の形態にあっては、選択部は、一の宛名を表書きした状態の画像を表示面に表示した場合に、第２の操作を受け付けたときは、複数の宛名から当該一の宛名の前または後の宛名を選択する。第２の操作は、例えば、表示面上で左右方向にスワイプさせる操作とすることができる。例えば、選択部は、表示面上で左方向にスワイプさせる操作がなされた場合、当該一の宛名の前の宛名を選択し、右方向にスワイプさせる操作がなされた場合、当該一の宛名の後（次）の宛名を選択することができる。なお、第２の操作は、表示面上で左右方向にスワイプさせる操作に限定されるものではない。
【００８６】
表示制御部は、選択部で選択した宛名を表書きした状態の画像を表示面に表示する。これにより、ユーザは、表示面上で第２の操作を行うだけで、複数の宛名の中から次に表示させたい表書きした状態の画像を簡単に表示させることができ、ユーザの利便性を向上させることができる。
【００８７】
本実施の形態の携帯情報処理装置は、第３の操作を受け付けた場合、前記設定部（１０）で所定の識別子を設定した宛名を一覧形式で前記表示面（１４）に表示するようにしてあることを特徴とする。
【００８８】
本実施の形態にあっては、第３の操作を受け付けた場合、設定部で所定の識別子（例えば、転記完了）を設定した宛名を一覧形式で表示面に表示する。第３の操作は、例えば、表示面上で上方向に長くスワイプさせる操作とすることができるが、これに限定されるものではない。これにより、ユーザは、表示面上で第３の操作を行うだけで、宛名書きが終わった宛名を一覧形式で表示することができ、ユーザの利便性を向上させることができる。
【００８９】
本実施の形態の携帯情報処理装置は、前記表示制御部がはがきまたは封筒のいずれに表書きした状態の画像を表示するかを選択する操作を受け付ける表書き受付部（１５）を備えることを特徴とする。
【００９０】
本実施の形態にあっては、表書き受付部は、表示制御部がはがきまたは封筒のいずれに表書きした状態の画像を表示するかを選択する操作を受け付ける。表書き受付部は、例えば、表示面に表示された「はがき」及び「封筒」のアイコンまたはボタン等とすることができる。例えば、ユーザが、「はがき」のアイコンをタッチ操作することにより、はがきに表書きした状態の画像を表示させることができる。また、ユーザが、「封筒」のアイコンをタッチ操作することにより、封筒に表書きした状態の画像を表示させることができる。これにより、ユーザは、必要に応じて、はがきまたは封筒に表書きした状態の画像を選択的に表示させることができ、ユーザの利便性を向上させることができる。
【００９１】
本実施の形態の携帯情報処理装置は、前記表示面に表示された表書きした状態の画像のサイズをはがきまたは封筒のサイズに表示変換する操作を受け付ける表示変換受付部（１５）を備えることを特徴とする。
【００９２】
本実施の形態にあっては、表示変換受付部は、表示面に表示された表書きした状態の画像のサイズをはがきまたは封筒のサイズに表示変換する操作を受け付ける。表示変換受付部は、例えば、表示面に表示された「実際の表示サイズ」等のアイコンまたはボタンなどとすることができる。例えば、表示面に、はがきに表書きした状態の画像を表示している場合に、当該画像のサイズ（大きさ）が実際のはがきのサイズと異なる場合、ユーザが、「実際の表示サイズ」のアイコンをタッチ操作することにより、表示面には実際のはがきのサイズで表書きした画像が表示される。封筒の場合も同様である。これにより、ユーザは、はがきまたは封筒に宛名を書く際の文字の大きさを確認することができ、文字の大きさをどの程度にすればよいかを容易に把握することができ、ユーザの利便性を向上させることができる。
【符号の説明】
【００９３】
１０  制御部（設定部、選択部）
１１  通信部
１２  表示制御部
１３  回転検出部（検出部）
１４  表示画面（表示面）
１５  タッチ操作検出部
１６  記憶部
【図１】
2018101148.tif 000003
【図２】
2018101148.tif 000004
【図３】
2018101148.tif 000005
【図４】
2018101148.tif 000006
【図５】
2018101148.tif 000007
【図６】
2018101148.tif 000008
【図７】
2018101148.tif 000009
【図８】
2018101148.tif 000010
【図９】
2018101148.tif 000011
【図１０】
2018101148.tif 000012
【図１１】
2018101148.tif 000013
【図１２】
2018101148.tif 000014
【図１３】
2018101148.tif 000015